(57)【要約】      （修正有）【課題】高周波誘導加熱コイルと被加熱物（炉や鍋）の距離間隔の分布を簡単に調節出来る可変形高周波誘導加熱コイル。【解決手段】各高周波誘導加熱コイル１２にロッドやビス４を固定、被加熱物１３の形状１４に合わせてロッドやビス４の長さを各上部固定具１５と下部固定具１６で調整し、Ａ距離間隔１７を確認した後、コイル支持材１８に固定した可変形高周波誘導加熱コイル１１。高周波誘導加熱コイル１２と被加熱物１３のＡ距離間隔１７を調節する事により、複雑な形状１４の可変形高周波誘導加熱コイルの製作が可能となる、又、Ａ距離間隔１７を変更するとインダクタンスやＱの変更も容易に出来、可変形高周波誘導加熱コイル１１側からマッチング調整が可能となる。Ｂ距離間隔３０を局部調整すると被加熱物３１の局部範囲２９に発生する渦電流を局部的に調整でき、加熱分布の調整が可能となった。【選択図】図２
2004311382.tif 000002
【特許請求の範囲】
【請求項１】
高周波誘導加熱コイルの導体にロッドやビス及びナット等を取り付け、これをコイル支持具に固定する、ロッドやビス等の長さを調整することにより高周波誘導加熱コイルの形状を可変出来る可変形高周波誘導加熱コイル。
【請求項２】
被加熱物の形状に合わせる為に、高周波誘導加熱コイルの導体に取り付けたロッドやビス及びナット等の長さを調整し被加熱物の形状に合わせコイル支持具に固定した【請求項１】を特徴とする可変形高周波誘導加熱コイル。
【請求項３】
高周波誘導加熱コイルの導体に取り付けたロッドやビス及びナット等の長さを調整し高周波誘導加熱コイルと被加熱物の距離間隔を可変しコイル要素（インダクタンス  Ｑ等）を調節できる【請求項１】を特徴とする可変形高周波誘導加熱コイル。
【請求項４】
高周波誘導加熱コイルの導体に取り付けたロッドやビス及びナット等を複数長さ調整し高周波誘導加熱コイルと被加熱物の局部の距離間隔を任意に調整し高周波加熱による渦電流の分布を調整する、この渦電流損発生熱により温度分布調整ができる【請求項１】を特徴とする可変形高周波誘導加熱コイル。
【発明の詳細な説明】
【０００１】
【従来の技術】
従来、誘導加熱に用いる高周波誘導加熱コイルは、リッツ線や銅パイプを使用する、高周波誘導加熱コイルの形状は、被加熱物の形状に合わせてその都度リッツ線や銅パイプを被加熱物の形状に合わせて製作し、これを絶縁リボンや樹脂により支持具に固定する、これに高周波電力を供給して誘導加熱していた。高周波誘導加熱コイルと被加熱物の距離間隔が固定の為に高周波誘導加熱コイルのインダクタンスやＱも一定の為に、高周波誘導機器とのマッチング調整はコイル側からは出来なかった。又、高周波誘導加熱コイルと被加熱物の距離間隔が固定の為に被加熱物の加熱分布の調整も不可能であった、高周波誘導加熱コイルのインダクタンスの変更及び被加熱物の電力及び加熱分布の調整するためには、再度異なる形状で高周波誘導加熱コイルを製作していた。
【０００２】
【発明が解決しようとする課題】
本案は、これらを改善させるもので上記の目的を達成するために、高周波誘導加熱コイルと被加熱物の距離間隔の変更が簡単に出来、高周波誘導加熱コイルと被加熱物の局部範囲との距離間隔が簡単に調節出来る構造にした。
可変形高周波誘導加熱コイルの高周波誘導加熱コイルにロッドやビス等を溶接又は接着し、固定具でコイル支持具にこれを取り付ける。被加熱物の形状に合わせてロッドやビス及び固定具を調節し形状に合わせて固定具でコイル支持具に固定し、可変形高周波誘導加熱コイルとした。
【０００３】
可変形高周波誘導加熱コイルは、高周波誘導加熱コイルと被加熱物の距離間隔をロッドやビス及び固定具で自由に調節出来る為、複雑な被加熱物の形状に合わせて製作できる。高周波誘導加熱コイルと被加熱物の距離間隔を任意に調整が可能になるためインダクタンスのマッチング調整が可変形高周波誘導加熱コイル側から出来る。更に複数のロッドやビス及び固定具の調整により高周波誘導加熱コイルと被加熱物の距離間隔を局部で任意に調整出来る為、局部的に被加熱物に到達する高周波電磁束量を調節する事ができ、被加熱物の渦電流の発生量を調整できるので局部的に加熱分布の調整が可能となった。
【０００４】
以下、動作原理を図１、図２、図３により説明をする。
【０００５】
図１可変形高周波誘導加熱コイル原理図において可変形高周波誘導加熱コイル１の各高周波誘導加熱コイル２をコイル支持材３に固定する為に、各高周波誘導加熱コイル２に各々ロッドやビス４を溶接又は、接着により固定する、これらに上部固定具５をロッドやビス４に挿入しておき、コイル支持材３に各ロッドやビス４を挿入し各高周波誘導加熱コイル２を各上部固定具５と各下部固定具６により仮付けする。
【０００６】
図２可変形高周波誘導加熱コイル調整図１において可変形高周波誘導加熱コイル１１の各高周波誘導加熱コイル１２を被加熱物１３（炉や鍋）の形状１４に合わせる為に、各上部固定具１５及び各下部固定具１６により各ロッドやビス４の長さを調整し、被加熱物１３（炉や鍋）の形状１４に合わせ、更に各高周波誘導加熱コイル１２と被加熱物１３（炉や鍋）のＡ距離間隔１７を確認した後、各上部固定具１５及び各下部固定具１６でコイル支持材１８に固定する。
【０００７】
各高周波誘導加熱コイル１２と被加熱物１３（炉や鍋）のＡ距離間隔１７を各上部固定具１５及び各下部固定具１６で各ロッドやビス４の長さを各々調節する事により複雑な形状１４に合った可変形高周波誘導加熱コイル１１の製作が可能となった。
【０００８】
図２可変形高周波誘導加熱コイル調整図１においてＡ端子１９とＢ端子２０にＬＣＲ測定器２１を接続し可変形高周波誘導加熱コイル１１のインダクタンスを測定する、各高周波誘導加熱コイル１２の各上部固定具１５及び各下部固定具１６で各ロッドやビス４の長さを調整し、各高周波誘導加熱コイル１２と被加熱物１３（炉や鍋）のＡ距離間隔１７を変更すると可変形高周波誘導加熱コイル１１のインダクタンス及びＱが変化する。Ａ距離間隔１７を広くするとインダクタンスは大きくなりＱも増加する、Ａ距離間隔１７を狭くするとインダクタンスは小さくなりＱは減少する。即ち、Ａ距離間隔１７を調節することにより、可変形高周波誘導加熱コイル１１側からマッチング調整が可能となる。
【０００９】
図３可変形高周波誘導加熱コイル調整図２おいて可変形高周波誘導加熱コイル２２のＡ端子２３とＢ端子２４に高周波インバーター２５を接続し高周波電力を供給する、複数の高周波誘導加熱コイル２６の上部固定具２７及び下部固定具２８の長さを調整し、局部範囲２９のＢ距離間隔３０を変更すると、被加熱物３１の局部範囲２９に到達する高周波電磁束量が変化し、局部範囲２９に発生する渦電流が変化する、よって局部範囲２９での発熱量が変化する。
【００１０】
複数の高周波誘導加熱コイル２６と被加熱物３１（炉や鍋）の局部範囲２９のＢ距離間隔３０を広くすると被加熱物３１に到達する高周波電磁束量を減少させ、被加熱物３１の局部範囲２９の渦電流を減少させ発熱量を低くすること出来る。局部範囲２９のＢ距離間隔３０を狭くすると被加熱物３１に到達する高周波電磁束量を増加させ、被加熱物３１の局部範囲２９の渦電流を増加させ発熱量を多くすることが出来る。即ち、局部の加熱分布の温度調整が可能となる。
【００１１】
【発明の効果】
図２可変形高周波誘導加熱コイル調整図１の可変形高周波誘導加熱コイル１１の各高周波誘導加熱コイル１２と被加熱物１３のＡ距離間隔１７を調節することにより、複雑な形状の可変形高周波誘導加熱コイルの製作が可能となった。又、可変形高周波誘導加熱コイル側からマッチング調整が可能となる。
図３可変形高周波誘導加熱コイル調整図２の可変形高周波誘導加熱コイル２２において複数の高周波誘導加熱コイル２６と被加熱物３１の局部範囲２９のＢ距離間隔３０を調節することにより、局部の加熱分布の調整が可能となった。
【図面の簡単な説明】
【図１】可変形高周波誘導加熱コイル原理図
【図２】可変形高周波誘導加熱コイル調整図１
【図３】可変形高周波誘導加熱コイル調整図２
１      可変形高周波誘導加熱コイル
２      高周波誘導加熱コイル
３      コイル支持材
４      ロッドやビス
５      上部固定具
６      下部固定具
１１    可変形高周波誘導加熱コイル
１２    高周波誘導加熱コイル
１３    被加熱物
１４    形状
１５    上部固定具
１６    下部固定具
１７    Ａ距離間隔
１８    コイル支持材
１９    Ａ端子
２０    Ｂ端子
２１    ＬＣＲ測定器
２２    可変形高周波誘導加熱コイル
２３    Ａ端子
２４    Ｂ端子
２５    高周波インバーター
２６    高周波誘導加熱コイル
２７    上部固定具
２８    下部固定具
２９    局部範囲
３０    Ｂ距離間隔
３１    被加熱物
【図１】
2004311382.tif 000003
【図２】
2004311382.tif 000004
【図３】
2004311382.tif 000005